(57)【要約】      （修正有）【課題】通音孔のマイクに近い側の端部に溜まった水を良好に排出することができ、かつ排水溝が外部から見えないので外観上も好ましいドアホンを提供するものである。【解決手段】通音孔１１が設けられた前面板１０を有するハウジング５と、通音孔１１に面するようにハウジング５内に収納されたたマイク３０と、前記マイク３０を制御するためのドアホン回路が実装されたプリント基板３５と、を備えたドアホンにおいて、通音孔１１に連結させた下方向への排水溝１２を前面板１０の内側に設けているものである。【選択図】図４
2007116620.tif 000002
【特許請求の範囲】
【請求項１】
通音孔が設けられた前面板を有するハウジングと、通音孔に面するようにハウジング内に収納されたたマイクと、前記マイクを制御するためのドアホン回路が実装されたプリント基板と、を備えたドアホンにおいて、通音孔に連結させた下方向への排水溝を前面板の内側に設けたことを特徴とするドアホン。
【請求項２】
通音孔と連通する通音穴を有する中板を前面板とマイクとの間に介在させて、マイクで通音穴を塞ぐようにマイクと中板とを接合したことを特徴とするドアホン。
【発明の詳細な説明】
【技術分野】
【０００１】
本願発明は、玄関に設置されるドアホンに関するものである。
【背景技術】
【０００２】
従来から、通音孔１１１が設けられた前面板１１０を有するハウジングと、通音孔１１１に面するようにハウジング内に収納されたたマイクと、前記マイクを制御するためのドアホン回路が実装されたプリント基板と、を備えたドアホン１０１が提供されている（例えば、特許文献１）。そして、図５に示すように、この種のドアホン１０１は、通音孔１１１に連結させた下方向への排水溝１１２を前面板の外側に設けて、雨や結露で通音孔１１１を塞ぐように溜まった水の水抜きを行い、マイクに音が届かないという不具合を防止するようになっている。
【特許文献１】特開平１０−２６９４８３号公報
【発明の開示】
【発明が解決しようとする課題】
【０００３】
しかし、上記のような構造を備えたドアホンで１０１は、排水溝１１２を前面板１１０の外側に設けているので、通音孔１１１のハウジングの外側端部に溜まった水の水抜きは良好に行うことができるが、マイクに近い側である内側端部に溜まった水は残ってしまう。そのため、音がマイクにまで伝達され難くなり、マイクの音響特性に影響を及ぼす不具合があった。また、排水溝１１２が前面板１１０の外側に設けられていたのでは、排水溝１１２が外部から見えて、外観上好ましくないといった不具合もあった。そこで、本願発明は、通音孔のマイクに近い側の端部に溜まった水を良好に排出することができ、かつ排水溝が外部から見えないので外観上も好ましいドアホンを提供するものである。
【課題を解決するための手段】
【０００４】
上記課題を解決するために、本願発明のドアホンは、通音孔が設けられた前面板を有するハウジングと、通音孔に面するようにハウジング内に収納されたたマイクと、前記マイクを制御するためのドアホン回路が実装されたプリント基板と、を備えたドアホンにおいて、通音孔に連結させた下方向への排水溝を前面板の内側に設けているものである。
【発明の効果】
【０００５】
本願発明のドアホンにおいては、通音孔が設けられた前面板を有するハウジングと、通音孔に面するようにハウジング内に収納されたたマイクと、前記マイクを制御するためのドアホン回路が実装されたプリント基板と、を備えたドアホンであって、通音孔に連結させた下方向への排水溝を前面板の内側に設けているので、通音孔のマイクに近い側の端部に溜まった水を良好に排出することができ、かつ排水溝が外部から見えなくて外観上も好ましいものである。
【発明を実施するための最良の形態】
【０００６】
以下、本願発明を実施するための最良の形態について図面を参照しながら説明する。
【０００７】
図１は本願発明の請求項１及び２に対応した実施形態のドアホン１の図を、図２は図１のドアホン１の展開斜視図を、図３は図１のドアホン１の前面板１０を取付板４０から外したときの図を、図４は図１のドアホン１の通音孔１１の断面図を、示している。
【０００８】
この実施形態で用いるドアホン１は、通音孔１１が設けられた前面板１０を有するハウジング５と、通音孔１１に面するようにハウジング５内に収納されたたマイク３０と、前記マイク３０を制御するためのドアホン１回路が実装されたプリント基板３５と、を備えたドアホン１において、通音孔１１に連結させた下方向への排水溝１２を前面板１０の内側に設けているものである。
また、この実施形態で用いるドアホン１は、通音孔１１と連通する通音穴２１を有する中板２０を前面板１０とマイク３０との間に介在させて、マイク３０で通音穴２１を塞ぐようにマイク３０と中板２０とを接合させているものである。
【０００９】
以下、この実施形態で用いるドアホン１を、より具体的に説明する。このドアホン１は、玄関等の宅外に設置されており、図１に示す背面に設けられた端子５５に住宅内のインターホン親機からの配線を接続することにより、ドアホン１の押釦６０を押してインターホン親機との間で呼出し通話ができるものとなっている。また、その構成としては、図２に示すように、前面板１０と背面板５０とで構成されるハウジング５の内部にマイク３０とスピーカ６５、プリント基板３５、押釦６０が収納されて、玄関等の壁面に背面板５０が埋め込まれるように取り付けられるものとなっている。また、ハウジング５の前面板１０の背面にはスピーカ６５及び押釦６０を取り付けるための取付板４０が設けられているものである。そして、組み立てにおいては各種部品を固定するための凹凸を表裏面に備えた中板２０と取付板４０との間にスピーカ６５及び押釦６０を挟持してネジ７０により固定し、スピーカ６５及び押釦６０を取付板４０に取り付けているものである。そして、マイク３０を収納するために、中板２０の下部には凸部２２の背面に凹部２３が設けられており、その凹部２３にマイク３０を挿入して、この凹部２３を塞ぐようにマイク３０の側面を凹部２３の側面に接着固定している。また、この凹部２３の底面にはマイク３０に音を伝えるための通音穴２１を備えており、この通音穴２１は上記接着固定後も開口状態を維持しているものとなっている。そして、マイク３０及びスピーカ６５を制御するための抵抗やコンデンサ、ＬＳＩ等の電子部品よりなるドアホン回路を実装したプリント基板３５が背面板５０の所定位置に内装されて、マイク３０とスピーカ６５、押釦６０が取り付けられた取付板４０とプリント基板３５が内装された背面板５０とを螺子７５により固定する。そして、前面板１０を取付板４０に係合することにより、マイク３０とスピーカ６５、プリント基板３５、押釦６０を内部に収納しているこのドアホン１は組み立てられているものである。
【００１０】
そして、このドアホン１は、図３に示すように、前面板１０と取付板４０とを係合させたときに、外部からの音をマイク３０に伝えるための通音孔１１及び開口４１が前面板１０及び取付板４０に各々形成しているものである。さらに、この取付板４０の下部に設けられた開口４１には、中板２０の通音穴２１の周囲に設けられた突起２４が嵌め込まれて、前面板１０の通音孔１１と中板２０の通音穴２１は連通するものとなっている。また、通音孔１１は、その形状として背面側がテーパ形状となっており、さらに自身と連結して底面にまで達する下方向への排水溝１２が前面板１０の背面側に設けられており、水が流れ易い構造となっているものである。そして、取付板４０に設けられた開口４１にも、排水溝１２と対応する位置に下方向への排水みぞ４２が取付板４０の前面側に設けられており、これにより通音孔１１と通音穴２１との連通部分に、排水溝１２と排水みぞ４２により下方向へのより大きな空間が形成されて、より水が流れ易い構造となっているものである。また、通音穴２１は中間部分に径小部を備えており、これにより通音孔１１を経由してきた雨が直接マイク３０にまで到達することを防止しているものである。これらにより、雨等により通音孔１１から侵入した水がこの空間に流れ込むようになっており、通音穴２１の先に取り付けられたマイク３０に到達するのを防止しているものである。また、結露等により通音孔１１及び通音孔１１と通音穴２１との連通部分に溜まった水も上記と同様に下方向への空間に流れ込むようになっているものである。
【００１１】
この実施形態で用いるドアホン１は、通音孔１１が設けられた前面板１０を有するハウジング５と、通音孔１１に面するようにハウジング５内に収納されたたマイク３０と、前記マイク３０を制御するためのドアホン１回路が実装されたプリント基板３５と、を備えたドアホン１において、通音孔１１に連結させた下方向への排水溝１２を前面板１０の内側に設けているので、通音孔１１のマイク３０に近い側の端部に溜まった水を良好に排出することができ、かつ排水溝１２が外部から見えないので外観上も好ましいものである。
【００１２】
また、この実施形態で用いるドアホン１は、通音孔１１と連通する通音穴２１を有する中板２０を前面板１０とマイク３０との間に介在させて、マイク３０で通音穴２１を塞ぐようにマイク３０と中板２０とを接合させているので、通音孔１１及び通音穴２１に溜まった水が前面板１０と中板２０との間にできた排水溝１２に流れてマイク３０が水に触れることがなくてマイク３０が腐食することを防止でき、風が強い日などに排水溝１２で生じる空気の流れが直接的にマイク３０に風切り音として入ってくる不具合も防止できるものである。
【図面の簡単な説明】
【００１３】
【図１】本願発明が用いられるドアホンを示す図であり、（ａ）は正面図（ｂ）は側面図（ｃ）は背面図。
【図２】図１のドアホンの展開斜視図。
【図３】図1のドアホンの前面板を取付板から外したときの図。
【図４】図１のドアホンの通音孔の断面図。
【図５】従来のドアホンを示す正面図。
【符号の説明】
【００１４】
１      ドアホン
５      ハウジング
１０    前面板
１１    通音孔
１２    排水溝
２０    中板
２１    通音穴
２２    凸部
２３    凹部
２４    突起
３０    マイク
３５    プリント基板
４０    取付板
４１    開口
４２    排水みぞ
５０    背面板
５５    端子
６０    押釦
６５    スピーカ
７０    ネジ
７５    螺子
１０１  ドアホン
１１０  前面板
１１１  通音孔
１１２  排水溝
【図１】
2007116620.tif 000003
【図２】
2007116620.tif 000004
【図３】
2007116620.tif 000005
【図４】
2007116620.tif 000006
【図５】
2007116620.tif 000007